(57)【要約】  【課題】連続蛇行曲げした冷媒チューブを有する熱交換器において、製造工程における冷媒チューブの工程不良を低減する。  【解決手段】冷媒チューブ出入り口側の第一端板４に設けた第一貫通穴６は、矩形部６ａと、矩形部６ａの短辺に接続された短辺と同径の２つの半円部６ｂとからなる形状で、第一貫通穴６の矩形部６ａ長辺に隣接して加工穴７を有し、曲管部側の第二端板５に設けた第二貫通穴８は、矩形部８ａと、矩形部８ａの短辺に接続された短辺より長い直径の２つの一部円部８ｂとからなる形状とし、冷媒チューブ出入り口側の第一端板４の第一貫通穴６の矩形部６ａ長辺と加工穴７で挟設された部分を、冷媒チューブ３側に変形させて、冷媒チューブ３に固定することにより、冷媒チューブが冷媒チューブ挿入用穴を貫通する際の摩擦抵抗を大幅に低減できる。【選択図】図１
2008304157.tif 000002
【特許請求の範囲】
【請求項１】
直管部および曲管部が連続する如く蛇行状に曲げ加工された冷媒チューブと、前記冷媒チューブが貫通する長穴を複数有し、相互に間隔をおいて配置された多数のプレートフィンと、前記冷媒チューブが貫通する穴を複数有し、前記プレートフィンを挟んで配置された一対の端板を有する熱交換器であって、前記端板の少なくとも一方を、前記冷媒チューブの曲げ加工された曲管部が貫通する貫通穴と、前記貫通穴と併設され、かつ前記冷媒チューブの貫通状態においてその一部が前記貫通穴内側へ突出して冷媒チューブの外壁面に密着する密着部を設けた加工穴を具備する構成とした熱交換器。
【請求項２】
前記加工穴を、前記端板における少なくとも最も外側に位置する貫通穴の近傍に設けた請求項１に記載の熱交換器。
【請求項３】
前記加工穴を、前記端板周縁との間に前記貫通穴が介在する位置に設けた請求項１または２に記載の熱交換器。
【請求項４】
前記端板を、前記冷媒チューブの一方の曲管部が貫通した第一貫通穴と、前記冷媒チューブの少なくとも始端または終端が貫通する端部穴をそれぞれ有する第一端板と、前記一方の曲管部と反対側に位置する他方の曲管部が貫通した第二貫通穴を有する第二端板より構成し、さらに、前記第一貫通穴および第二貫通穴を、前記冷媒チューブにおける曲管部の貫通方向における投影面形状と略相似形で、かつ該投影面積と略等しく大きな面積とした請求項１から３のいずれか一項に記載の熱交換器。
【請求項５】
前記第一端板に設けた第一貫通穴を、矩形部と、前記矩形部の短辺と同径の半円部を有し、前記半円部が、該矩形部両端においてそれぞれの短辺に連続した長穴形状とし、前記第二端板に設けた第二貫通穴を、矩形部と、前記冷媒チューブの外径より大径の円形部を有し、前記円形部が、該矩形部の両側においてそれぞれの短辺に連続した形状とした請求項４に記載の熱交換器。
【請求項６】
前記第一端板および第二端板の少なくとも一方の材質を、鋼板とした請求項４または５に記載の熱交換器。
【請求項７】
前記鋼板により形成された端板の貫通穴を、プレス成型加工により形成し、前記加工時に形成される貫通穴周縁のバリの延出方向が、前記曲管部が貫通する方向となるように前記端板を配置した請求項６に記載の熱交換器。
【請求項８】
前記加工穴を、前記端板周縁との間に前記貫通穴が介在する位置となるように設けた請求項７に記載の熱交換器。
【請求項９】
直管部および曲管部が連続する如く蛇行状に曲げ加工された冷媒チューブと、前記冷媒チューブが貫通する長穴を複数有し、相互に間隔をおいて配置された多数のプレートフィンと、前記冷媒チューブが貫通する穴を複数有し、前記プレートフィンを挟んで配置された一対の端板を具備し、前記プレートフィンの一方向から前記冷媒チューブを挿入可能とした熱交換器の製造方法であって、前記端板は、前記冷媒チューブの曲げ加工された曲管部が貫通する貫通穴を具備し、さらに前記端板の少なくとも一方に、前記貫通穴に近い位置で該貫通穴の長径と略平行に延出する加工穴を設けた構成とし、前記冷媒チューブが前記端板、プレートフィン、端板を貫通した状態で、前記端板における加工穴と前記貫通穴の間に介在する部分を、その一部が前記冷媒チューブの管壁に密着するまで前記貫通穴側へ突出するように塑性変形させる熱交換器の製造方法。
【発明の詳細な説明】
【技術分野】
【０００１】
本発明は、冷凍サイクル等に使用される熱交換器およびその製造方法に関するものである。
【背景技術】
【０００２】
冷凍空調機器に用いられる熱交換器の冷媒漏れは、冷凍空調機器自体の機能を喪失してしまうことから、熱交換器の冷媒漏れの低減が大きな課題である。また、地球温暖化対策として冷媒のノンフロン化が加速する中で、代替冷媒の大きな候補の可燃性であるＨＣ冷媒においては、製品安全の面からも熱交換器の冷媒漏れの防止は必要不可欠である。
【０００３】
かかる構成の熱交換器において、冷媒漏れの発生箇所は主に配管の接合部分であり、かかる点から、冷媒回路を一本の連続した冷媒チューブで構成した接合部を有しない熱交換器が知られている（特許文献１参照）。
【０００４】
図１０は、特許文献１に記載された従来の熱交換器の斜視図である。
【０００５】
図１０に示すように、熱交換器５１は、複数の冷媒チューブ挿入用長穴を設けた一群のプレートフィン５２と、直管部および曲管部が連続する蛇行状に折り曲げた一本の連続した冷媒チューブ５３と、複数の冷媒チューブ挿入用長穴５４ａを設けた、冷媒チューブ挿入側の側板５４と、曲管部側の側板５５とからなる。
【０００６】
そして、熱交換器５１は、冷媒チューブ５３を挿入する際、冷媒チューブ挿入側の側板５４側から、冷媒チューブ５３の曲管部（湾曲部）５３ａを長穴５４ａより挿入し、冷媒チューブ５３が、冷媒チューブ挿入側の側板５４、一群のプレートフィン５２、曲管部側の側板５５を貫通した後、冷媒チューブ５３と、側板５４、側板５５、およびプレートフィン５２群を、液圧等により密着固定する工程を経て製造されるものである。
【特許文献１】特開平１１−３３３５３９号公報
【発明の開示】
【発明が解決しようとする課題】
【０００７】
しかしながら、上記従来の熱交換器５１は、複数の冷媒チューブ挿入用長穴５４ａを設けた側板５４に冷媒チューブ５３を挿入する際、まず、冷媒チューブ挿入側の側板５４側から、冷媒チューブ５３の曲管部５３ａを挿入し、冷媒チューブ５３の曲管部５３ａが冷媒チューブ挿入側の側板５４、一群のプレートフィン５２、曲管部側の側板５５の順に通過した後に、その状態を維持し、冷媒チューブ５３と挿入側の側板５４、曲管部側の側板５５および一群のプレートフィン５２を密着固定するという製作手順となる。
【０００８】
このとき、冷媒チューブ５３の直管部は、挿入先から挿入元に亘って連続して冷媒チューブ挿入側（挿入元）の側板５４に設けた冷媒チューブ挿入用長穴５４ａと摩擦接触した状態で挿入が行われるため、特に冷媒チューブ５３が側板５４（挿入元）を通過する際の摩擦抵抗が大きく、その結果、冷媒チューブ５３の挿入工程で冷媒チューブ５３の座屈、反り、折れ曲がり等の工程不良が発生し、製造歩留まりが悪化して製造コストが高くなるという課題を有していた。
【０００９】
また、冷媒チューブの工程不良防止のために、冷媒チューブ出入り口側の側板５４の冷媒チューブ挿入用穴を、冷媒チューブ５３に対して十分なクリアランスを確保した寸法にすると、冷媒チューブ５３の挿入性を改善することができるが、冷媒チューブ挿入側の側板５４の冷媒チューブ挿入用穴が、冷媒チューブ５３に対するクリアランスが大きすぎて、拡管工程後においても、冷媒チューブ挿入側の側板５４と冷媒チューブ５３が固定されず、品質が悪化するという課題も有していた。
【００１０】
本発明は、上記従来の課題を解決するもので、製造歩留まりがよく、低コスト、かつ高品質な熱交換器が提供できるようにすることを目的とするものである。
【課題を解決するための手段】
【００１１】
上記従来の課題を解決するために、本発明の熱交換器は、一群のプレートフィンを挟んで位置し、かつ冷媒チューブの曲管部が貫通する穴を設けた側板において、前記側板を、前記冷媒チューブの曲げ加工された曲管部が貫通する貫通穴と、前記貫通穴と併設され、かつ前記冷媒チューブの貫通状態においてその一部が前記貫通穴内側へ突出して冷媒チューブの外壁面に密着する密着部を設けた加工穴を具備する構成としたものである。
【００１２】
また、本発明における熱交換器の製造方法は、一群のプレートフィンを挟んで位置し、かつ冷媒チューブの曲管部が貫通する穴を設けた側板において、前記貫通穴に近い位置で該貫通穴の長径と略平行に延出する加工穴を設けた構成とし、前記冷媒チューブが前記端板、プレートフィン、端板を貫通した状態で、前記端板における加工穴と前記貫通穴の間に介在する部分を、その一部が前記冷媒チューブの管壁に密着するまで前記貫通穴側へ突出するように塑性変形させるようにしたものである。
【００１３】
これにより、熱交換器の冷媒チューブは、端板の貫通状態において、前記加工穴の塑性変形により、端板と強固に密着固定することができるため、前記端板に設けた貫通穴寸法を冷媒チューブの貫通構造（曲管部構造）寸法よりも大きくすることができる。
【００１４】
その結果、熱交換器の組立て時において、冷媒チューブと貫通穴の摩擦接触が抑制され、冷媒チューブの変形、折れ曲がり等の不具合の発生リスクが軽減される。また、冷媒チューブと端板は、加工穴周縁の塑性変形による該周縁と冷媒チューブの密着により、強固に固定することができ、製造歩留まりがよく、また端板と冷媒チューブの密着不良による端板のがたつき、外れが抑制でき、高品質の熱交換器を製造することができる。
【発明の効果】
【００１５】
本発明の熱交換器は、熱交換器の製作過程において、冷媒チューブの損傷、反り、あるいは折れ等の不具合の発生を抑制した歩留まりのよいものとし、不要なコストをかけることが少ない熱交換器とすることができる。
【００１６】
また、本発明における熱交換器の製造法は、加工穴を塑性変形させることにより、端板の冷媒チューブへの密着固定が行えるため、前記端板と冷媒チューブの密着不良による端板のがたつき、外れが抑制でき、高品質の熱交換器を製造することができる。
【発明を実施するための最良の形態】
【００１７】
請求項１に記載の発明は、直管部および曲管部が連続する如く蛇行状に曲げ加工された冷媒チューブと、前記冷媒チューブが貫通する長穴を複数有し、相互に間隔をおいて配置された多数のプレートフィンと、前記冷媒チューブが貫通する穴を複数有し、前記プレートフィンを挟んで配置された一対の端板を有する熱交換器であって、前記端板の少なくとも一方を、前記冷媒チューブの曲げ加工された曲管部が貫通する貫通穴と、前記貫通穴と併設され、かつ前記冷媒チューブの貫通状態においてその一部が前記貫通穴内側へ突出して冷媒チューブの外壁面に密着する密着部を設けた加工穴を具備する構成としたものである。
【００１８】
かかる構成とすることにより、前記端板に設けた貫通穴の寸法を前記冷媒チューブの曲管部寸法にクリアランスを設けた寸法とすることができ、その結果、組立て時における冷媒チューブの前記貫通穴との摩擦接触に起因する損傷、反り等を抑制した熱交換器を得ることができ、不要なコストをかけることが少ない低コストの熱交換器とすることができる。
【００１９】
また、前記端板に設けた加工穴の一部の冷媒チューブとの密着により、端板と冷媒チューブの密着を強固なものとすることができ、その結果、端板のがたつき、外れといった不具合の少ない高品質の熱交換器とすることができる。
【００２０】
請求項２に記載の発明は、請求項１に記載の発明において、前記加工穴を、前記端板における少なくとも最も外側に位置する貫通穴の近傍に設けたものである。
【００２１】
かかる構成とすることにより、左右両側で端板と冷媒チューブの密着を行った構成となり、端板周縁に撓み等の応力が作用しても加工穴と冷媒チューブの密着の緩みが生じ難く、密着状態を良好に維持することができる。
【００２２】
請求項３に記載の発明は、請求項１または２に記載の発明において、前記加工穴を、前記端板周縁との間に前記貫通穴が介在する位置に設けたものである。
【００２３】
かかる構成とすることにより、前記端板と貫通穴の間部分の強度を確保することができ、前記加工穴の一部を冷媒チューブに密着させる場合において、端板の特に周縁部における変形が抑制され、熱交換器の品質を損なうことが抑制できる。
【００２４】
請求項４に記載の発明は、請求項１から３のいずれか一項に記載の発明において、前記端板を、前記冷媒チューブの一方の曲管部が貫通した第一貫通穴と、前記冷媒チューブの少なくとも始端または終端が貫通する端部穴をそれぞれ有する第一端板と、前記一方の曲管部と反対側に位置する他方の曲管部が貫通した第二貫通穴を有する第二端板より構成し、さらに、前記第一貫通穴および第二貫通穴を、前記冷媒チューブにおける曲管部の貫通方向における投影面形状と略相似形で、かつ該投影面積と略等しく大きな面積としたものである。
【００２５】
かかる構成とすることにより、冷媒チューブ挿入時における端板と冷媒チューブの摩擦接触を抑制することができ、損傷あるいは反りの極めて少ない冷媒チューブの貫通構造が得られ、熱交換器の品質を高めることができる。
【００２６】
請求項５に記載の発明は、請求項４に記載の発明において、前記第一端板に設けた第一貫通穴を、矩形部と、前記矩形部の短辺と同径の半円部を有し、前記半円部が、該矩形部両端においてそれぞれの短辺に連続した長穴形状とし、前記第二端板に設けた第二貫通穴を、矩形部と、前記冷媒チューブの外径より大径の円形部を有し、前記円形部が、該矩形部の両側においてそれぞれの短辺に連続した形状としたものである。
【００２７】
かかる構成とすることにより、第一、第二各貫通穴の形状を冷媒チューブが形成する貫通形状と近似させることができ、その結果、前記冷媒チューブと第一、第二各端板の接触面積を可能な限り確保することができ、冷媒チューブの拡管後における冷媒チューブと各端板との密着を良好に維持することができる。その結果、加工穴の一部と冷媒チューブの密着をより良好とすることができ、端板のがたつき、外れ等の不具合の抑制をより確実なものとすることができる。
【００２８】
請求項６に記載の発明は、請求項４または５に記載の発明において、前記第一端板および第二端板の少なくとも一方の材質を、鋼板としたものである。
【００２９】
かかることにより、安価な鋼板を使用することで、熱交換器の材料費を低減することができる。
【００３０】
請求項７に記載の発明は、請求項６に記載の発明において、前記鋼板により形成された端板の貫通穴を、プレス成型加工により形成し、前記加工時に形成される貫通穴周縁のバリの延出方向が、前記曲管部が貫通する方向となるように前記端板を配置したものである。
【００３１】
かかることにより、冷媒チューブの端板貫通時において前記バリが冷媒チューブを損傷するリスクが少なくでき、自動化装置による冷媒チューブの挿入とした場合であっても冷媒チューブの損傷を少なくすることができ、損傷を少なくして熱交換器の品質を損なうことも抑制できる。
【００３２】
請求項８に記載の発明は、請求項７に記載の発明において、前記加工穴を、前記端板周縁との間に前記貫通穴が介在する位置となるように設けたものである。
【００３３】
かかることにより、前記加工穴と端板周縁との間に所定の距離が確保でき、加工時における端板周縁の変形が防止でき、自動化装置による塑性変形加工としても、品質を維持することができる。
【００３４】
請求項９に記載の発明は、直管部および曲管部が連続する如く蛇行状に曲げ加工された冷媒チューブと、前記冷媒チューブが貫通する長穴を複数有し、相互に間隔をおいて配置された多数のプレートフィンと、前記冷媒チューブが貫通する穴を複数有し、前記プレートフィンを挟んで配置された一対の端板を具備し、前記プレートフィンの一方向から前記冷媒チューブを挿入可能とした熱交換器の製造方法であって、前記端板は、前記冷媒チューブの曲げ加工された曲管部が貫通する貫通穴を具備し、さらに前記端板の少なくとも一方に、前記冷媒チューブの曲げ加工された曲管部が貫通する貫通穴と、前記貫通穴に近い位置で該貫通穴の長径と略平行に延出する如く併設された加工穴を設けた構成とし、前記冷媒チューブが前記端板、プレートフィン、端板を貫通した状態で、前記端板における加工穴と前記貫通穴の間に介在する部分を、その一部が前記冷媒チューブの管壁に密着するまで前記貫通穴側へ突出するように塑性変形させる熱交換器の製造方法である。
【００３５】
かかる方法により、熱交換器組立て状態において、冷媒チューブと端板の密着状態を強固なものとすることができ、端板のがたつき、あるいは外れなどに伴う品質の低下を抑制することができる。特に、前記加工穴の塑性変形後に前記冷媒チューブの拡管加工を行う場合は、その密着をさらに強固なものとすることができる。
【００３６】
また、前記端板に設けた貫通穴の寸法を、前記冷媒チューブの曲管部寸法より若干大きくすることにより、冷媒チューブの貫通工程における端板との摩擦接触を抑制することが可能となり、その結果、冷媒チューブの損傷、反り等が少ない歩留まりのよい製造方法となる。
【００３７】
以下、本発明の実施の形態について、図面を参照しながら説明する。なお、この実施の形態によってこの発明が限定されるものではない。
【００３８】
（実施の形態１）
図１は、本発明の実施の形態１における熱交換器の斜視図である。図２は、同実施の形態１における熱交換器の第一端板側からの平面図である。図３は、同実施の形態１の熱交換器を構成する第一端板の組立て前の平面図である。図４は、同実施の形態１の熱交換器を構成する第二端板の平面図である。図５は、同実施の形態１の熱交換器を構成するプレートフィンの平面図である。図６は、同実施の形態１における熱交換器の冷媒チューブの貫通状態を示す局部断面図である。図７は、同実施の形態１における熱交換器の第一端板に設けられた第一貫通穴部の平面図である。図８は、同実施の形態１における熱交換器の第二端板に設けられた第二貫通穴部の平面図である。図９は、同実施の形態１における熱交換器の製造方法において冷媒チューブをプレートフィン群へ挿入する前の工程図である。
【００３９】
図１において、熱交換器１は、直管部３ａおよび曲管部３ｂが連続し、かつ縦列Ａおよび横列Ｂに複数となるように蛇行状に曲げ加工して成る冷媒チューブ３と、該冷媒チューブ挿入用の長穴２ａ（図５）を複数設け、互いに間隔をおいて配置され、冷媒チューブ３が挿入された一群のプレートフィン（以下、プレートフィン群と称す）２と、プレートフィン群２を挟み込むようにプレートフィン群２の両端に位置し、冷媒チューブ３が挿入され、冷媒チューブ３と密着するように固定された第一端板４および第二端板５を具備している。ここで、第一端板４は、冷媒チューブ３の挿入側となり、第二端板５は、冷媒チューブ３の貫通側となる。
【００４０】
冷媒チューブ３には、一般に銅あるいはアルミ材等の材料が用いられ、またプレートフィン群２にはアルミ材が用いられ、さらに第一、第二の各端板４、５には、鋼材が用いられている。
【００４１】
第一端板４は、図３に示す如く冷媒チューブ３の曲管部３ｂ、３Ａが貫通する長穴状の第一貫通穴６と、該第一貫通穴６の近傍で、かつ第一貫通穴６の長径と平行方向に延出する矩形の加工穴７を具備している。第一貫通穴６および加工穴７は、プレス成型加工によって打ち抜き形成されるものである。
【００４２】
第一貫通穴６における対角に位置する貫通穴には、熱交換器１の組立て状態において冷媒チューブ３の始端３ｃと終端３ｄがそれぞれ貫通している。貫通穴６は、矩形部６ａと、該矩形部６ａの短辺と同寸径の半円部６ｂより形成され、矩形部６ａの短辺に半円部６ｂを連続させることにより、長穴状に形成されている。
【００４３】
第一貫通穴６を貫通する曲管部３ｂは、後述する曲管部３Ａと異なり、単に冷媒チューブ３の直管部３ａを所定の径に湾曲させたもので、その結果、第一貫通穴６は、冷媒チューブ３の径に近い寸法を幅とする長穴形状に形成されている。具体的には、冷媒チューブ３の貫通において、クリアランスが大きすぎると冷媒チューブ３との密着性が確保できないため、摩擦接触が少なくなる、あるいはほとんどない程度の寸法に設定されている。
【００４４】
また、加工穴７は、第一端板４の周縁との間において、最も外側に位置する第一貫通穴６が位置するように設けられており、本実施の形態１においては、左右それぞれにおいて横２列に亘り縦列した第一貫通穴６に対応して設けられている。かかる加工穴７の形成は、熱交換器１の大きさ、あるいは冷媒チューブ３の縦列数、横列数に応じて任意に設定するもので、小型軽量の場合であれば、左右の再外側に位置する貫通穴にのみ対応した加工穴の形成とすることができる。
【００４５】
そして、加工穴７は、熱交換器１の組立て状態においては、第一貫通穴６の矩形部６ａと加工穴７で挟まれた部分（以下、密着部と称す）７ａを、その一部が冷媒チューブ３と密着するように塑性変形されている。したがって、加工穴７は、図２に示す如く、台形を基調として斜辺が湾曲した形状に変形している。
【００４６】
さらに、第二端板５には、図４に示す如く冷媒チューブ３の曲管部３Ａが貫通する第二貫通穴８がプレス成型加工によって設けられている。
【００４７】
第二貫通穴８は、矩形部８ａと、矩形部８ａの短辺の寸法よりも大寸法径の円部８ｂより形成され、矩形部８ａの短辺に円部８ｂを連続させることにより、長手方向両端が膨らんだ形状に形成されている。また、円部８ｂは、冷媒チューブ３の管径よりも微小に大きく設定されている。
【００４８】
第二貫通穴８をかかる形状とする理由は、冷媒チューブ３の曲管部３Ａが、プレートフィン群２および第二端板５を貫通する際に、その貫通が円滑となるように該曲管部３Ａの円弧部を若干扁平に加工しているためである。また、第二貫通穴８を冷媒チューブ３の管径より微小に大きく設定する理由は、冷媒チューブ３の貫通が比較的円滑に行えるようにするためである。
【００４９】
したがって、冷媒チューブ３が第二端板５を貫通した状態では、第二貫通穴８の円部８ｂと冷媒チューブ３は略密着した状態となっている。
【００５０】
ここで、第一貫通穴６および第二貫通穴８は、前述の如くプレス成型加工にて形成されるため、その周縁には、打ち抜き方向であって微小に延出するバリが残存しているものである。この様子を、図６、図７、図８においてバリに符号９ａ、９ｂを付して説明する。
【００５１】
また、第一端板４と第二端板５の間に介在されたプレートフィン群（プレートフィン）２には、図５に示すように、第二端板５に設けられた第二貫通穴８と相似形の長穴２ａがプレス成型加工によって設けられており、第二貫通穴８よりも若干大きく形成されている。そして、長穴２ａの周囲には、相互のフィン間隔の規制、および冷媒チューブ３との熱伝導を良好とするためのカラー部２ｂ（図６）が設けられている。
【００５２】
次に、以上のように構成された熱交換器１の組立て方法について、図６および図９を参照しながら説明する。
【００５３】
まず、図９に示す如く、積層状態にあるプレートフィン群２の積層方向両端に、第一端板４および第二端板５を、それぞれに設けた第一貫通穴６、長穴２ａ、第二貫通穴８が一致するように配置する。このとき、第一端板４、第二端板５は、第一貫通穴６、第二貫通穴８の周縁に残存したバリ９ａ、９ｂとプレートフィン群２に設けられたカラー部２ｂの延出方向がそれぞれ同一方向となるように配置している。
【００５４】
次に、真直ぐなパイプを縦列Ａおよび横列Ｂに複数となるように蛇行状に曲げ加工した冷媒チューブ３を、その曲管部３Ａから図９に示す如く矢印方向に第一端板４に設けた第一貫通穴６へ挿入し、さらに挿入を続けてプレートフィン群２に設けた長穴２ａ、および第二端板５に設けた第二貫通穴８を順次貫通させ、曲管部３Ａを第二端板５から突出させて図６の状態を構成する。
【００５５】
ここで、第一貫通穴６、第二貫通穴８に残存したバリ９ａ、９ｂは、同一方向であって曲管部３Ａの挿入方向と同一方向に延出しているため、冷媒チューブ３の挿入工程において、バリ９ａ、９ｂが冷媒チューブ３の表面に食込むことが抑制される。
【００５６】
そして、上述の如く冷媒チューブ３が所定の位置に挿入された状態において、第一端板４に設けた加工穴７と第一貫通穴６に挟まれた密着部７ａを、第一貫通穴６側へ突出するように塑性変形させる。その突出度合いは、冷媒チューブ３の直管部３ａと接触する程度が好ましい。また、密着部７ａの塑性変形は、例えば、第一端板４の周縁と加工穴７の第一貫通穴６に近い辺を挟み込み、その状態で力を加えて前述の如く塑性変形を形成する治具、あるいは機構を具備した設備機器で行うことができる。
【００５７】
その後、冷媒チューブ３内に、高圧に加圧された水、あるいは油等の液体を流す（圧入する）ことにより、その液圧によって冷媒チューブ３が拡管され、冷媒チューブ３とプレートフィン群２、第一端板４、および第二端板５の相互を密着固定させる。かかる工程を終えることにより、熱交換器１の組立てが完了する。
【００５８】
上述の如く組立てられた熱交換器１は、第一、第二の各端板４、５に設けた第一貫通穴６、第二貫通穴８の形状及び面積が、冷媒チューブ３の貫通方向に見た投影面形状と相似もしくは略相似でかつ面積が微小に大きく設定されているため、第一、第二の各端板４、５と冷媒チューブ３の摩擦接触（擦れ、引っかかり等）が少ない構成となる。
【００５９】
特に、第一端板４においては、冷媒チューブ３が第一貫通穴６を貫通した後で加工穴７の密着部７ａを塑性変形させ、冷媒チューブ３との固定を行う構成であるため、第一貫通穴６の寸法を冷媒チューブ３に対して十分なクリアランスを有する寸法とすることができる。
【００６０】
したがって、組立て時における第一端板４と冷媒チューブ３の摩擦を極力軽減することができ、その結果、冷媒チューブ３における座屈等の損傷を少なくすることができ、変形がほとんど生じない熱交換器１を得ることができる。さらに、前述の変形に伴う例えばプレートフィン群２の変形により、通風抵抗が増大し、熱交換器１の性能が低下するといった弊害を抑制することができる。
【００６１】
さらに、前述の如く、冷媒チューブ３等の損傷（坐屈、反り、折れ曲がり等）を抑制した組立てが可能なため、歩留まりがよく、生産性を高めることができ、製造コストの低減化が可能となるものである。
【００６２】
また、冷媒チューブ３の始端３ｃと終端３ｄの長さを適宜設定することにより、従来リードパイプと称する流体回路側との接続を容易とするパイプ（短寸法）のロウ付け作業が不要となり、ロウ付け不良に伴う品質低下を抑制することができる。
【００６３】
さらに、加工穴７は、第一端板４における最も外側に位置する第一貫通穴６の近傍に設けた構成であるため、第一端板４の左右の両側で冷媒チューブ３との密着を行う構成となり、その結果、第一端板４の周縁に撓み等の応力が作用しても、加工穴７と冷媒チューブ３の密着の緩みが生じ難く、効果的な密着固定構造が得られ、密着状態を良好に維持することができる。
【００６４】
特に、第一端板４と冷媒チューブ３の固定は、まず、加工穴７の密着部７ａをカシメ加工等により塑性変形させ、一旦第一端板４と冷媒チューブ３の密着を確保した状態で冷媒チューブ３の拡管を行う構成であるため、強固な固定構造が得られるもので、第一端板４のがたつき、外れがない強固な固定構造が得られるものである。
【００６５】
また、加工穴７は、全ての第一貫通穴６の矩形部６ａ長辺と隣接して配置してもよいが、製造工程短縮のために、例えば、冷媒チューブ３の出入り口を有する列のみに設置するなど、冷媒チューブ３と第一端板４を固定することができれば、その他の適切な配置にしてもよい。
【００６６】
さらに、加工穴７は、第一端板４の周縁との間に第一貫通穴６が介在する位置に設けているため、第一端板４と第一貫通穴６の間部分の強度を確保することができ、加工穴７の密着部７ａを冷媒チューブ３に密着させる、所謂塑性変形加工時において、第一端板４の特に周縁部における変形が抑制され、熱交換器１の品質を損なうことが抑制できるものである。
【００６７】
また、第一貫通穴６および第二貫通穴８を、冷媒チューブ３における曲管部３ｂ、３Ａの貫通方向における投影面形状と略相似形で、かつ該投影面積と略等しく大きな面積としているため、冷媒チューブ３の挿入時における第一、第二の各端板４、５と冷媒チューブ３の摩擦接触を抑制することができ、損傷あるいは反りの極めて少ない冷媒チューブ３の貫通構造が得られ、熱交換器１の品質を高めることができる。
【００６８】
さらに、第一端板４に設けた第一貫通穴６を長穴形状とし、第二端板５に設けた第二貫通穴８を、矩形部８ａと、冷媒チューブ３の外径より大径の円部８ｂを組み合わせた形状としたものであるため、第一、第二各貫通穴６、８の形状を冷媒チューブ３が形成する貫通形状と近似させることができる。したがって、冷媒チューブと第一、第二の各端板４、５の接触面積を可能な限り確保することができ、冷媒チューブ３の拡管後における冷媒チューブと各端板４、５との密着を良好に維持することができる。その結果、加工穴７の一部と冷媒チューブ３の密着をより良好とすることができ、第一端板４のがたつき、外れ等の不具合の抑制をより確実なものとすることができる。
【００６９】
また、第一端板４および第二端板５に鋼板を使用しているため、熱交換器１の材料費を抑制することができ、熱交換器１のコストダウンが可能となるものである。
【００７０】
さらに、第一、第二の各端板４、５に設けた第一、第二の貫通穴６、８のプレス成型加工時に形成される貫通穴周縁のバリ９ａ、９ｂの延出方向を、曲管部が貫通する方向となるように端板を配置したことにより、冷媒チューブ３の端板貫通時においてバリ９ａ、９ｂが冷媒チューブ３を損傷するリスクが少なくでき、損傷の少ない熱交換器を構成することができる。
【００７１】
また、列数および段数が多く、本数の多い冷媒チューブ３を有する場合においても、比較的容易に熱交換器１を製作することができる。
【００７２】
さらに、第二の端板５に設けた第二の貫通穴８の矩形部８ａと円部８ｂの接続部分に面取りを施すことで、矩形部８ａと円部８ｂにおける接続部分の角部の尖りを緩和することができ、第二の端板５の貫通穴８を冷媒チューブ３が貫通する際に懸念される冷媒チューブ３の損傷をさらに低減することができる。
【００７３】
また、第一貫通穴６、第二貫通穴８における冷媒チューブ３の通過部分にバーリングを設けることもできる。それによって、冷媒チューブ３の挿入をよくすることができ、冷媒チューブ３と第一、第二の各端板４、５の固定状態をよくするという効果が得られる。
【００７４】
さらに、プレートフィン群２に設けた冷媒チューブ挿入用の長穴２ａの直径（幅寸法）を、第一端板４に設けた第一貫通穴６の半円部６ｂの直径より大きく、また第一貫通穴６の半円部６ｂの直径（幅寸法）を、第二端板５に設けた第二貫通穴８の円部８ｂより大きくすることで、組立てが容易でかつ、組立て後の冷媒チューブ３と第一、第二の各端板４、５の固定状態を良化することができる。
【００７５】
また、第一端板４に設けた第一貫通穴６および第二端板５に設けた第二貫通穴８は、冷媒チューブ３を曲管部３ｂ（３Ａ）側から見た時の曲管部３ｂ（３Ａ）と同配置になるようにその位置が設定されているため、第一端板４と第二端板５を同一仕様とすることが可能であり、部品の標準化を図ることもできる。
【００７６】
かかる場合は、第一端板４、第二端板５共に加工穴７に隣接する密着部７ａの塑性変形工程を必要とすることになる。
【産業上の利用可能性】
【００７７】
本発明にかかる熱交換器は、製造コストを低減した熱交換器であり、またその製造方法は、冷媒チューブの工程不良を低減する歩留まりのよい製造方法で、製造コストを低減することができ、冷蔵庫、自動販売機等の如く、流体を冷媒とする熱交換器の他に、ラジエター等の如く水等の液体を流体とする熱交換器を具備した産業機器分野にわたって広く適用できるものである。
【図面の簡単な説明】
【００７８】
【図１】本発明の実施の形態１における熱交換器の斜視図
【図２】同実施の形態における熱交換器の第一端板側からの平面図
【図３】同実施の形態における熱交換器を構成する第一端板の組立て前の平面図
【図４】同実施の形態の熱交換器を構成する第二端板の平面図
【図５】同実施の形態の熱交換器を構成するプレートフィンの平面図
【図６】同実施の形態における熱交換器の冷媒チューブの貫通状態を示す局部断面図
【図７】同実施の形態における熱交換器の第一端板に設けられた第一貫通穴部の平面図
【図８】同実施の形態における熱交換器の第二端板に設けられた第二貫通穴部の平面図
【図９】同実施の形態における熱交換器の製造方法において冷媒チューブをプレートフィン群へ挿入する前の工程図
【図１０】従来例における熱交換器の斜視図
【符号の説明】
【００７９】
１    熱交換器
２    プレートフィン
２ａ  長穴
３    冷媒チューブ
３Ａ  曲管部
３ｂ  曲管部
４    第一端板
５    第二端板
６    第一貫通穴
６ａ  矩形部
６ｂ  半円部
７    加工穴
７ａ  密着部
８    第二貫通穴
８ａ  矩形部
８ｂ  円部
９ａ  バリ
９ｂ  バリ
【図１】
2008304157.tif 000003
【図２】
2008304157.tif 000004
【図３】
2008304157.tif 000005
【図４】
2008304157.tif 000006
【図５】
2008304157.tif 000007
【図６】
2008304157.tif 000008
【図７】
2008304157.tif 000009
【図８】
2008304157.tif 000010
【図９】
2008304157.tif 000011
【図１０】
2008304157.tif 000012